(57)【要約】      （修正有）【課題】他の機器と接続する制御装置の入出力回路の電気的接続状態を簡易に試験可能な試験装置を提供する。【解決手段】複数の端子を介して他の装置と接続された制御装置の入出力回路の電気的接続状態を試験する試験装置であって、複数の端子それぞれに対して接続され、試験を行う場合に、他の装置から制御装置への信号に対応する信号を複数の端子すべてに対して模擬入力する第１スイッチ回路と、複数の端子それぞれに対して接続され、試験を行う場合に、他の装置から制御装置への信号の入力を複数の端子すべてに対して遮断する第２スイッチ回路と、他の装置から複数の端子を介して制御装置へ入力された信号及び模擬入力に対応する信号を検出する検出回路と、を備え、切替信号により、第２スイッチ回路を開くとともに、第２スイッチ回路を開いた後、所定時間の経過後に第１スイッチ回路を閉じることで試験を行う。【選択図】図１
2017072387.tif 000002
【特許請求の範囲】
【請求項１】
複数の端子を介して他の装置と接続された制御装置の入出力回路の電気的接続状態を試験する試験装置であって、
前記複数の端子それぞれに対して接続され、試験を行う場合に、前記他の装置から前記制御装置への信号に対応する信号を前記複数の端子すべてに対して模擬入力する第１スイッチ回路と、
前記複数の端子それぞれに対して接続され、試験を行う場合に、前記他の装置から前記制御装置への信号の入力を前記複数の端子すべてに対して遮断する第２スイッチ回路と、
前記他の装置から前記複数の端子を介して前記制御装置へ入力された信号及び前記模擬入力に対応する信号を検出する検出回路と、
を備え、
切替信号により、前記第２スイッチ回路を開くとともに、前記第２スイッチ回路を開いた後、所定時間の経過後に前記第１スイッチ回路を閉じることで試験を行うことを特徴とする試験装置。
【請求項２】
前記検出回路から取得される前記入出回路の電気的接続状態を表示する表示部、
を更に備えたことを特徴とする請求項１に記載の試験装置。
【請求項３】
複数の端子を介して他の装置と接続された制御装置の入出力回路の電気的接続状態を試験する試験方法であって、
前記複数の端子それぞれに対して接続され、試験を行う場合に、前記他の装置から前記制御装置への信号に対応する信号を前記複数の端子すべてに対して第１スイッチ回路を介して模擬入力し、
前記複数の端子それぞれに対して接続され、試験を行う場合に、前記他の装置から前記制御装置への信号の入力を前記複数の端子すべてに対して第２スイッチ回路を介して遮断し、
前記他の装置から前記複数の端子を介して前記制御装置へ入力された信号及び前記模擬入力に対応する信号を検出し、
切替信号により、前記第２スイッチ回路を開くとともに、前記第２スイッチ回路を開いた後、所定時間の経過後に前記第１スイッチ回路を閉じることで試験を行う
ことを特徴とする試験方法。
【請求項４】
複数の端子を介して他の装置と接続された制御装置の入出力回路の電気的接続状態を試験する試験装置に、
前記複数の端子それぞれに対して接続され、試験を行う場合に、前記他の装置から前記制御装置への信号に対応する信号を前記複数の端子すべてに対して第１スイッチ回路を介して模擬入力する第１機能と、
前記複数の端子それぞれに対して接続され、試験を行う場合に、前記他の装置から前記制御装置への信号の入力を前記複数の端子すべてに対して第２スイッチ回路を介して遮断する第２機能と、
前記他の装置から前記複数の端子を介して前記制御装置へ入力された信号及び前記模擬入力に対応する信号を検出する第３機能と、
切替信号により、前記第２スイッチ回路を開くとともに、前記第２スイッチ回路を開いた後、所定時間の経過後に前記第１スイッチ回路を閉じることで試験を行う第４機能と、
を実現させるプログラム。
【発明の詳細な説明】
【技術分野】
【０００１】
本発明は、試験装置、試験方法、プログラムに関する。
【背景技術】
【０００２】
電力系統の信頼性を確保するためには、発電所、電気所（変電所）、配電線等を適宜監視することが重要である。一般に、電気所は効率化のため無人のケースが多く、電気所内に設置されている電力機器は、同じ電気所内に設置された遠隔監視制御装置を用いて、例えば、中央指令所の中央指令装置から遠隔制御されている。
【０００３】
電気所内の電力機器は、屋外に設置されているため、雷撃を受ける場合がある。そして、これらの電力機器を制御する遠隔監視制御装置についても、電力機器との接続ケーブル（端子）を通じて、雷撃等による外部からの異常電圧が印加され、入出力回路が焼損することがある。そのため、数年に１回のペースで定期点検を行い、入出力回路の正常を確認する導通試験が行われている（例えば、特許文献１を参照）。
【先行技術文献】
【特許文献】
【０００４】
【特許文献１】特開２０１０−１９７５６号公報
【発明の概要】
【発明が解決しようとする課題】
【０００５】
この導通試験は、点検者の手作業により電力機器と接続する端子ごとに模擬信号を入力して、各端子の入出力回路の正常を確認するものであるため、点検者にとって非常に煩雑な作業となっている。
【０００６】
そこで、本発明では、他の機器と接続する制御装置の入出力回路の電気的接続状態を簡易に試験可能な試験装置を提供することを目的とする。
【課題を解決するための手段】
【０００７】
前述した課題を解決する主たる本発明は、複数の端子を介して他の装置と接続された制御装置の入出力回路の電気的接続状態を試験する試験装置であって、前記複数の端子それぞれに対して接続され、試験を行う場合に、前記他の装置から前記制御装置への信号に対応する信号を前記複数の端子すべてに対して模擬入力する第１スイッチ回路と、前記複数の端子それぞれに対して接続され、試験を行う場合に、前記他の装置から前記制御装置への信号の入力を前記複数の端子すべてに対して遮断する第２スイッチ回路と、前記他の装置から前記複数の端子を介して前記制御装置へ入力された信号及び前記模擬入力に対応する信号を検出する検出回路と、を備え、切替信号により、前記第２スイッチ回路を開くとともに、前記第２スイッチ回路を開いた後、所定時間の経過後に前記第１スイッチ回路を閉じることで試験を行う。
【０００８】
本発明の他の特徴については、添付図面及び本明細書の記載により明らかとなる。
【発明の効果】
【０００９】
本発明によれば、他の機器と接続する制御装置の入出力回路の電気的接続状態を簡易に試験することが可能になる。
【図面の簡単な説明】
【００１０】
【図１】本実施形態に係る遠隔監視制御装置を示す図である。
【図２】本実施形態に係る遠隔監視制御装置が複数の電力機器と接続されている場合の構成を示す図である。
【図３】本実施形態に係る導通試験の一連の流れを示すフローチャートである。
【図４】本実施形態に係る導通試験において試験回路が動作するシーケンスをイメージ化した図である。
【図５】本実施形態に係る端子台に関する試験結果の一例を示す図である。
【発明を実施するための形態】
【００１１】
本明細書および添付図面の記載により、少なくとも以下の事項が明らかとなる。
【００１２】
＝＝＝遠隔監視制御装置の構成について＝＝＝
本実施形態に係る遠隔監視制御装置（以下、「制御装置」と言う。）について説明する。
【００１３】
図１に、本実施形態に係る制御装置を示す。
【００１４】
本実施形態に係る制御装置１は、電気所内に設置され、電力機器２と接続ケーブル（図１中では外部配線１０４ａ、１０４ｂ、１０４ｃ、１０４ｄ、１０４ｅとして表す。）で接続され、それらの装置を制御及び監視する。又、制御装置１は、通信回線を介して中央指令所の中央指令装置と接続され、電気所内の各電力機器を遠隔制御及び遠隔監視することを可能とする装置である。
【００１５】
そして、本実施形態に係る制御装置１及び電力機器２には、導通試験時に、４３Ｒスイッチを切り替える操作のみによって、電力機器２側からの信号を遮断するとともに、一定時間の経過後に、電力機器２側から一括で模擬信号を入力し、制御装置１の入出力回路の状態を確認することができる試験装置の機能が備えられている。
【００１６】
本実施形態に係る制御装置１は、入出力回路１００、制御部２００、記憶部３００、表示部４００、通信部５００、バス６００を備える。
【００１７】
入出力回路１００は、他の電力機器２と信号の入出力を行う回路である。入出力回路１００は、検出回路１０１、端子台１０３、端子台１０３と接続された内部配線１０２ａ、１０２ｂ、１０２ｃ、１０２ｄ、１０２ｅ、第１スイッチ回路ＳＷ１０、電源Ｐ、４３Ｒスイッチ、４３ＴＳスイッチを備える。尚、これらの構成の詳細は後述する。
【００１８】
制御部２００は、バス６００を介して、入出力回路１００、記憶部３００、表示部４００、通信部５００を構成するハードウェアとデータ通信を行うとともに、それらの動作を制御する。又、制御部２００は、電力機器２から取得したデータを、通信部５００を用いて所定タイミングで中央指令装置に送信する。制御部２００は、例えば、ＣＰＵが記憶部３００に記憶されたコンピュータプログラムを実行することにより実現される。尚、制御部２００は、中央指令装置とデータ通信を行うため、例えば、周知のＳＶ編集処理、ＳＯＥ処理、ＳＶ・ＴＭ現状値要求、ＳＶ・ＴＭ編集処理を行う機能を備える。
【００１９】
記憶部３００には、制御装置１を制御するコンピュータプログラム、入出力回路１００から取得した電力機器２に関する情報等が記憶されている。記憶部３００は、例えば、不揮発性メモリ（磁気ディスク、フラッシュメモリ、ＲＯＭ）、揮発性メモリ（ＲＡＭ）によって構成される。
【００２０】
表示部４００は、制御部２００により演算処理された結果を制御装置１の点検者に識別可能に表示する。又、表示部４００は、後述する導通試験の試験結果を表示する。表示部４００は、例えば、液晶ディスプレイによって構成される。
【００２１】
通信部５００は、通信回線を介して、制御装置１と他の装置とデータ通信する。通信部５００は、例えば、通信コントローラによって構成され、ＬＡＮ回線を介して、中央指令装置とデータ通信する。通信部５００は、例えば、データリンク層のプロトコルとして、ＨＤＬＣ方式を用いる。
【００２２】
バス６００は、例えば、アドレスバス、データバス、及びコントロールバスから構成され、制御部２００が入出力回路１００、記憶部３００、表示部４００、通信部５００を構成するハードウェアとデータ通信を行うことを可能とする。
【００２３】
＝＝＝試験装置の構成について＝＝＝
以下、図１を参照して、本実施形態に係る試験装置について説明する。
【００２４】
本実施形態に係る試験装置は、制御装置１の入出力回路の領域と電力機器２の入出力回路の領域（図示せず）とに設けられた試験回路により実現される。具体的には、試験回路は、検出回路１０１、端子台１０３、端子台１０３と接続された内部配線１０２ａ、１０２ｂ、１０２ｃ、１０２ｄ、１０２ｅ（以下、「１０２ａ〜１０２ｅ」と言う。）、端子台１０３と接続された外部配線１０４ａ、１０４ｂ、１０４ｃ、１０４ｄ、１０４ｅ（以下、「１０４ａ〜１０４ｅ」と言う。）、第１スイッチ回路ＳＷ１０、第２スイッチ回路ＳＷ２０、電源Ｐ、４３Ｒスイッチ、４３ＴＳスイッチにより構成される。
【００２５】
尚、図１中では省略しているが、電力機器２は、外部配線１０４ａ〜１０４ｅを介して制御装置１に信号を送信する入出力回路を備えている。そして、電力機器２の入出力回路と外部配線１０４ａ〜１０４ｅそれぞれの間に、後述する信号経路遮断用の第２スイッチＳＷ２１ａ、ＳＷ２１ｂ、ＳＷ２１ｃ、ＳＷ２１ｄ、ＳＷ２１ｅが設けられている。
【００２６】
始めに、通常時の各構成の動作について説明する。
【００２７】
制御装置１は、電力機器２の入出力回路から送信された信号を、外部配線１０４ａ〜１０４ｅ、端子台１０３、内部配線１０２ａ〜１０２ｅを経路として、検出回路１０１で取得する。ここで、１個の端子台は５つの対になった端子の接続部を備え、５ビットで１ワードを形成するパラレルポートである。具体的には、端子台１０３には、電力機器２から端子台１０３に向けて送信された信号の経路となる５本の外部配線１０４ａ、１０４ｂ、１０４ｃ、１０４ｄ、１０４ｅと接続される端子１０３ａ２、１０３ｂ２、１０３ｃ２、１０３ｄ２、１０３ｅ２と、端子台１０３から検出回路１０１に向かう信号の経路となる５本の内部配線１０２ａ、１０２ｂ、１０２ｃ、１０２ｄ、１０２ｅと接続される端子１０３ａ１、１０３ｂ１、１０３ｃ１、１０３ｄ１、１０３ｅ１とがそれぞれ対になって構成されている。
【００２８】
内部配線１０２ａ〜１０２ｅは、端子台１０３と検出回路１０１の間に設けられた電力機器２から送信された信号の経路となる配線である。上記したとおり、内部配線１０２ａ〜１０２ｅ及び検出回路１０１は、雷撃等による外部からの異常電圧が印加された場合に焼損するおそれがある。そのため、内部配線１０２ａ〜１０２ｅ及び検出回路１０１が導通試験の対象となる配線である。
【００２９】
外部配線１０４ａ〜１０４ｅは、電力機器２の入出力回路から端子台１０３まで延設した配線（接続ケーブルを含む）である。尚、図１中では、電力機器２の入出力回路から外部配線１０４ａ〜１０４ｅそれぞれに伸びる配線部分は省略して表している。
【００３０】
５本の外部配線１０４ａ〜１０４ｅは、電力機器２から制御装置１に送信された１ビットずつのデータの経路となる。例えば、５本の外部配線１０４ａ〜１０４ｅが経路となって、端子台１０３に向けて「０００１１」のデータが送信される。そして、それぞれ外部配線１０４ａ〜１０４ｅから端子台１０３に向けて送信されたデータは、５本の内部配線１０２ａ〜１０２ｅを経路として、検出回路１０１に送信される。
【００３１】
検出回路１０１は、５本の内部配線１０２ａ〜１０２ｅを経路として送信される信号を検出する回路である。検出回路１０１は、例えば、内部配線１０２ａ〜１０２ｅごとに形成されたＴＴＬ回路とラッチ回路により構成される。そして、検出回路１０１は、内部配線１０２ａ〜１０２ｅを介して印加される電圧をもとに「０」、「１」を判別するとともに、「０００１１」等のデータを保持する。又、制御部２００は、検出回路１０１で保持されたデータを監視し、所定タイミングで、バス６００を介してデータを取得する。そして、制御部２００は、検出回路１０１で検出されたデータに基づいて、電力機器２からの信号を判別し、当該データを、通信部５００を用いて中央指令装置に送信する。これによって、中央指令装置は、電力機器２の状態を遠隔から監視する。
【００３２】
第１スイッチ回路ＳＷ１０、第２スイッチ回路ＳＷ２０、４３Ｒスイッチ、４３ＴＳスイッチは、通常時には、図１に示す状態で保持されている。
【００３３】
第１スイッチ回路ＳＷ１０は、配線１０５と各端子１０３ａ１、１０３ｂ１、１０３ｃ１、１０３ｄ１、１０３ｅ１の間に介挿される第１スイッチＳＷ１１ａ、ＳＷ１１ｂ、ＳＷ１１ｃ、ＳＷ１１ｄ、ＳＷ１１ｅ（以下、「ＳＷ１１ａ〜ＳＷ１１ｅ」と言う。）を有する回路である。第１スイッチＳＷ１１ａ〜ＳＷ１１ｅの一端は配線１０５を経路として４３Ｒの一方の端子と共通に接続され、第１スイッチＳＷ１１ａ〜ＳＷ１１ｅの他端は各端子１０３ａ１、１０３ｂ１、１０３ｃ１、１０３ｄ１、１０３ｅ１と夫々接続されている。第１スイッチＳＷ１１ａ〜ＳＷ１１ｅは、通常時、「開」状態で保持され、第１スイッチ回路ＳＷ１０と内部配線１０２ａ〜１０２ｅとは電気的には絶縁状態となっている。
【００３４】
又、第２スイッチ回路ＳＷ２０は、配線１０６から外部配線１０４ａ、１０４ｂ、１０４ｃ、１０４ｄ、１０４ｅのそれぞれに接続された第２スイッチＳＷ２１ａ、ＳＷ２１ｂ、ＳＷ２１ｃ、ＳＷ２１ｄ、ＳＷ２１ｅ（以下、「ＳＷ２１ａ〜ＳＷ２１ｅ」と言う。）を有する回路である。第２スイッチＳＷ２１ａ、ＳＷ２１ｂ、ＳＷ２１ｃ、ＳＷ２１ｄ、ＳＷ２１ｅは、電力機器２の入出力回路から外部配線１０４ａ、１０４ｂ、１０４ｃ、１０４ｄ、１０４ｅに伸びるそれぞれの配線の間に設置され、電力機器２の入出力回路からの信号を導通又は遮断する。第２スイッチＳＷ２１ａ〜ＳＷ２１ｅは、通常時、「閉」状態（導通状態）で保持される。
【００３５】
電源Ｐは、正側直流電源であり、例えば、＋１１０Ｖの直流電圧を接続先の配線に供給する。
【００３６】
４３Ｒスイッチは、点検者が導通試験を行う際に、電源Ｐからの電圧の供給先を切り替えるｃ接点のボタン式のスイッチである。４３Ｒスイッチは、通常時、配線１０６に接続された状態に保持され、電源Ｐにより配線１０６に正側直流電圧を供給する。
【００３７】
４３ＴＳスイッチは、点検者が導通試験を行う際に、電源Ｐからの電圧の供給先を切り替えるａ接点のスイッチである。４３ＴＳスイッチは、通常時は、「開」状態を保持する。
【００３８】
次に、導通試験時の各構成の動作について説明する。
導通試験は、電源Ｐからの電圧供給先の切り替えに応じて、第１スイッチ回路ＳＷ１０及び第２スイッチ回路ＳＷ２０がそれぞれのスイッチを切り替えることにより行われる。
【００３９】
４３Ｒスイッチは、導通試験時、ｃ接点スイッチの切り替えにより、配線１０６から配線１０５に接続先が変更され、配線１０５を介して第１スイッチ回路ＳＷ１０に電源Ｐからの電圧を供給する。すなわち、４３Ｒスイッチは、通常時、外部配線１０４ａ〜１０４ｅの信号経路を導通状態で保持するとともに、第１スイッチ回路ＳＷ１０を未接続状態として保持する。一方、４３Ｒスイッチは、導通試験時、電力機器２の入出力回路から外部配線１０４ａ〜１０４ｅへの信号の経路を遮断状態に切り替えるとともに、第１スイッチ回路ＳＷ１０を接続状態に切り替える。これにより、電源Ｐが、検出回路１０１に対して内部配線１０２ａ〜１０２ｅそれぞれを経路として電力機器２から制御装置１への信号に対応する信号を模擬入力する。
【００４０】
４３ＴＳスイッチは、導通試験時、４３Ｒスイッチが切り替えられるに応じて、リレー動作により、「開」状態から「閉」状態に切り替えられる。これにより、４３ＴＳスイッチは、配線１０２ｆに接続され、内部配線１０２ａ〜１０２ｅとは別に、電源Ｐからの電圧を検出回路１０１に供給する。検出回路１０１は、配線１０２ｆが接続された箇所にも、内部配線１０２ａ〜１０２ｅと同様にＴＴＬ回路とラッチ回路を有する。そして、制御部２００は、配線１０２ｆからの信号を検出するに応じて、割込処理により、試験プログラムを実行する構成となっている。
【００４１】
第１スイッチ回路ＳＷ１０は、配線１０５からの電圧供給により、第１スイッチＳＷ１１ａ〜ＳＷ１１ｅのそれぞれを「開」から「閉」状態に切り替え、内部配線１０２ａ〜１０２ｅを経路として検出回路１０１に模擬信号を入力する。
【００４２】
ここで、第１スイッチＳＷ１１ａ〜ＳＷ１１ｅは、例えば、ａ接点および当該ａ接点を開くためのコイルで構成されたリレースイッチである。又、第１スイッチＳＷ１１ａ〜ＳＷ１１ｅは、オンディレイ回路を介して配線１０５と接続されて、タイマー機能を有している。そして、第１スイッチＳＷ１１ａ〜ＳＷ１１ｅは、それぞれコイルに供給される配線１０５からの電圧供給によって、一定時間の経過後に一斉に閉じる。尚、一定時間の経過後に第１スイッチＳＷ１１ａ〜ＳＷ１１ｅを切り替える構成としているのは、始めに第２スイッチＳＷ２１ａ〜ＳＷ２１ｅで外部配線１０４ａ〜１０４ｅを介して電力機器２側から信号が入力されるのを遮断する必要があるからである。尚、第１スイッチＳＷ１１ａ〜ＳＷ１１ｅは、更にオフディレイ回路を備え、「開」状態から「閉」状態に切り替えてから一定時間の経過後に「閉」状態から「開」状態に戻す構成としてもよい。
【００４３】
第２スイッチ回路ＳＷ２０は、導通試験時、配線１０６からの電圧が供給されなくなるに応じて、第２スイッチＳＷ２１ａ〜ＳＷ２１ｅを「閉」状態から「開」状態に切り替える。そして、第２スイッチＳＷ２１ａ〜ＳＷ２１ｅが「開」状態に切り替えられることにより、外部配線１０４ａ〜１０４ｅを介して検出回路１０１に信号が入力されるのは遮断される。
【００４４】
ここで、第２スイッチＳＷ２１ａ〜ＳＷ２１ｅは、例えば、ｂ接点および当該ｂ接点を開くためのコイルで構成されたリレースイッチであり、コイルに供給される配線１０６からの電圧供給がゼロとなることにより、第２スイッチＳＷ２１ａ〜ＳＷ２１ｅを一斉に開く。
【００４５】
以上、制御装置１と一の電力機器２が接続された構成を説明した。しかし、制御装置１が、複数の電力機器２と接続されている場合も、同様の構成により、電力機器２側から一括で模擬信号を入力し、制御装置１の入出力回路の状態を確認することができる。
【００４６】
図２に、制御装置１が複数の電力機器２と接続されている場合の構成を示す。
【００４７】
図２では、図１と同様に、制御装置１の入出力回路の領域と電力機器２Ａ、電力機器２Ｂ、電力機器２Ｃの入出力回路の領域（図示せず）とに、試験回路を構成している。
【００４８】
又、試験回路は、制御装置１が一の電力機器２と接続されている場合と同様に、検出回路１０１、端子台１０３、１１３、１２３、端子台１０３、１１３、１２３と接続された内部配線１０２ａ〜１０２ｅ、１１２ａ〜１１２ｅ、１２２ａ〜１２２ｅ、端子台１０３、１１３、１２３と接続された外部配線１０４ａ〜１０４ｅ、１１４ａ〜１１４ｅ、１２４ａ〜１２４ｅ、第１スイッチ回路ＳＷ１０、第２スイッチ回路ＳＷ２０、電源Ｐ、４３Ｒスイッチ、４３ＴＳスイッチにより構成される。そして、電力機器２が一つの場合と同様に、第１スイッチ回路ＳＷ１０及び第２スイッチ回路ＳＷ２０の「開」「閉」切り替えにより、試験を行うことができる。尚、図２では、制御部２００、記憶部３００、表示部４００、通信部５００は省略して表している。
【００４９】
＝＝＝試験方法について＝＝＝
以下、図３、図４、図５を参照して、本実施形態に係る制御装置１の導通試験について説明する。
【００５０】
本実施形態に係る導通試験は、図２に係る制御装置１の入出力回路１００に対して模擬信号を一括入力し、端子台１０３、１１３、１２３と検出回路１０１の間の各内部配線１０２ａ〜１０２ｅ、１１２ａ〜１１２ｅ、１２２ａ〜１２２ｅの電気的接続状態を確認して、表示出力する試験である。
【００５１】
図３に、導通試験の一連のフローを示す。又、図４に、導通試験において試験回路が動作するシーケンスをイメージ化した図を示す。
【００５２】
本実施形態に係る導通試験は、４３Ｒスイッチが切り替えられることによって開始される。尚、図４中では、図２中の４３Ｒスイッチの切り替え動作を、４３Ｒスイッチが「閉」状態とされることにより、リレーＲＹが動作し、４３ＴＳスイッチ、第１スイッチ回路ＳＷ１０、第２スイッチ回路ＳＷ２０の接続状態が切り替えられるシーケンス制御として表している。具体的には、４３Ｒスイッチが「閉」状態とされることにより、４３ＴＳスイッチが「開」状態から「閉」状態へ切り替えられ、第１スイッチ回路ＳＷ１０がタイマー１のタイミングで「閉」状態から「開」状態に切り替えられ、第２スイッチ回路ＳＷ２０が「閉」状態から「開」状態に切り替えられる。そして、４３Ｒスイッチが「閉」状態とされることにより、タイマー１、タイマー２、タイマー３がスタートする。ここで、タイマー１、タイマー２、タイマー３は、タイマー１、タイマー２、タイマー３の順に動作するようにそれぞれ時間設定がなされている。尚、図４の再試験ボタンは、押しボタンのｂ接点スイッチを表し、当該押しボタンを押すことにより再度試験が実行されることを表す。
【００５３】
Ｓ１は、制御装置１を試験モードに移行する工程である。
【００５４】
具体的には、制御部２００が試験プログラムを実行する工程である。本工程は、４３ＴＳスイッチが「閉」状態に切り替えられて、配線１０２ｆを介して検出回路１０１に信号が送信され、制御部２００が当該信号を取得するに応じて、割込処理として試験プログラムを実行することにより行われる。尚、試験プログラムは、Ｓ４及びＳ５の工程を行うプログラムである。
【００５５】
このとき、制御部２００は、試験プログラムに従って、検出回路１０１（各内部配線１０２ａ〜１０２ｅ、１１２ａ〜１１２ｅ、１２２ａ〜１２２ｅに対応するラッチ回路）に保持されているデータを「０」とする信号を出力する。
【００５６】
Ｓ２は、第２スイッチ回路ＳＷ２０を「閉」状態から「開」状態に切り替える工程である。
【００５７】
本工程は、４３Ｒスイッチの接続先が配線１０６から配線１０５に切り替えられることにより、試験開始と略同時に自動的に行われる。これによって、配線１０６から第２スイッチＳＷ２１ａ〜ＳＷ２１ｅ、ＳＷ２２ａ〜ＳＷ２２ｅ、ＳＷ２３ａ〜ＳＷ２３ｅには電圧が供給されない状態となる。そのため、第２スイッチＳＷ２１ａ〜ＳＷ２１ｅ、ＳＷ２２ａ〜ＳＷ２２ｅ、ＳＷ２３ａ〜ＳＷ２３ｅは、すべて「閉」状態から「開」状態に切り替わる。尚、図４中では、リレーＲＹが動作することで、第２スイッチ回路ＳＷ２０が「閉」状態から「開」状態に切り替わるシーケンス制御と表している。
【００５８】
Ｓ３は、第１スイッチ回路ＳＷ１０を「開」状態から「閉」状態に切り替える工程である。
【００５９】
本工程は、４３Ｒスイッチの接続先が配線１０６から配線１０５に切り替えられることにより、自動的に行われる。具体的には、４３Ｒスイッチが配線１０６から配線１０５に接続状態を切り替えることにより、第１スイッチ回路ＳＷ１０には電圧が供給される。このとき、第１スイッチＳＷ１１ａ〜ＳＷ１１ｅ、ＳＷ１２ａ〜ＳＷ１２ｅ、ＳＷ１３ａ〜ＳＷ１３ｅは、オンディレイ回路を有するスイッチとなっており、電圧が供給されてから一定時間の経過後に「開」状態から「閉」状態に切り替わる。尚、図４中では、タイマー１のタイミングで第１スイッチ回路ＳＷ１０が「開」状態から「閉」状態に切り替わるシーケンス制御と表している。これによって、内部配線１０２ａ〜１０２ｅ、１１２ａ〜１１２ｅ、１２２ａ〜１２２ｅに配線１０５を介して電圧が供給され、内部配線１０２ａ〜１０２ｅ、１１２ａ〜１１２ｅ、１２２ａ〜１２２ｅを経路として検出回路１０１に対して模擬入力がなされる。尚、模擬入力とは、検出回路１０１に対して、電力機器２Ａ、２Ｂ、２Ｃから制御装置１への信号に対応する信号を入力することである。
【００６０】
すなわち、本実施形態では、４３Ｒスイッチの切り替えにより、第１スイッチ回路ＳＷ１０及び第２スイッチ回路ＳＷ２０に切替信号を供給するとともに、切替タイミングを調整する構成としている。
【００６１】
Ｓ４は、制御装置１の制御部２００が各内部配線の電気的接続状態を検出する工程である。
【００６２】
具体的には、制御部２００は、検出回路１０１に検出されたデータにより、内部配線１０２ａ〜１０２ｅ、１１２ａ〜１１２ｅ、１２２ａ〜１２２ｅの電気的接続状態を検出する。このとき、検出回路１０１は、内部配線１０２ａ〜１０２ｅ、１１２ａ〜１１２ｅ、１２２ａ〜１２２ｅから入力される電圧が一定値以上か否かにより「０」、「１」を判別するとともに、当該データを制御部２００に送信する。そして、制御部２００は、検出回路１０１から取得したデータに基づいて、各内部配線の電気的接続状態を判断する。すなわち、制御部２００は、各内部配線１０２ａ〜１０２ｅ、１１２ａ〜１１２ｅ、１２２ａ〜１２２ｅについて「１」が検出されるはずであるところ、「０」が検出された場合、異常があると判断する。尚、第１スイッチ回路ＳＷ１０は、第１スイッチＳＷ１１ａ〜ＳＷ１１ｅ、ＳＷ１２ａ〜ＳＷ１２ｅ、ＳＷ１３ａ〜ＳＷ１３ｅのタイマー機能により「閉」状態から「開」状態に切り替わってから一定時間の経過後、「閉」状態から「開」状態に再度切り替わる構成としている。図４中では、タイマー２のタイミングで、第１スイッチ回路ＳＷ１０が「閉」状態から「開」状態に切り替わるシーケンス制御と表している。
【００６３】
Ｓ５は、制御装置１の制御部２００が、検出回路１０１から取得した各内部配線の電気的接続状態を表示部４００に表示出力する工程である。
【００６４】
具体的には、Ｓ４の工程により、制御装置１の制御部２００は、内部配線１０２ａ〜１０２ｅ、１１２ａ〜１１２ｅ、１２２ａ〜１２２ｅそれぞれの信号により、異常を検出している。そして、制御部２００は、検出回路１０１から取得した上記の信号に基づいて、表示部４００に表示出力させる。制御部２００は、例えば、図５に示すように、正常な内部配線１０２ａ〜１０２ｅ、１１２ａ〜１１２ｅ、１２２ａ〜１２２ｅについては「ＯＫ」、異常が検出された内部配線１０２ａ〜１０２ｅ、１１２ａ〜１１２ｅ、１２２ａ〜１２２ｅについては「ＮＧ」を表示出力する。尚、図５は、１ワード５ビットの端子台１０３、１１３、１２３に関する試験結果の一例を表す。図５では、第２端子台１１３（２Ｗ）の１番の内部配線（１１２ａ）及び２番の内部配線（１１２ｂ）が、異常状態であることを表す。
【００６５】
Ｓ６は、試験状態を終了するため、４３Ｒスイッチを元に戻す工程である。
【００６６】
本工程は、４３Ｒスイッチが有するタイマー機能により自動的に行われる。具体的には、４３Ｒスイッチは、一定時間の経過後、リレーＲＹが動作し、接続先が、配線１０５から配線１０６へと切り替えられる。これにより、４３ＴＳスイッチは「閉」状態から「開」状態に切り替わる。又、すべての第１スイッチＳＷ１１ａ〜ＳＷ１１ｅ、ＳＷ１２ａ〜ＳＷ１２ｅ、ＳＷ１３ａ〜ＳＷ１３ｅは、「閉」状態から「開」状態に切り替わる。又、すべての第２スイッチＳＷ２１ａ〜ＳＷ２１ｅ、ＳＷ２２ａ〜ＳＷ２２ｅ、ＳＷ２３ａ〜ＳＷ２３ｅは、「開」状態から「閉」状態に切り替わる。尚、図４中では、タイマー３のタイミングで、リレーＲＹが元に戻り、４３ＴＳスイッチ、第２スイッチ回路ＳＷ２０も元に戻るシーケンス制御と表している。
【００６７】
以上のように、本実施形態に係る試験装置によれば、制御装置１の入出力回路に対して一括して模擬信号を入力して導通試験を行うことができるため、作業性を向上させることができる。
【００６８】
尚、上記実施形態では、制御装置１と電力機器２が、５ビットで１ワードを形成するパラレルポートで接続された場合を一例として記載したが、端子の接続部の数は、あくまで一例であり、任意に変更し得る。又、制御装置１と電力機器２のデータ通信が、パラレルポートでなく、シリアルポートで行われる場合についても、同様の構成により、試験を行うことができる。
【００６９】
又、上記実施形態では、導通試験の試験結果の出力方法として、制御部２００が、検出回路１０１から取得した信号に基づいて、表示部４００に表示出力させる態様を示した。しかし、導通試験の試験結果の出力方法は、制御装置１のＳＯＥ処理機能を利用して、中央指令装置に表示出力させる態様であってもよい。尚、ＳＯＥ処理機能は、制御装置１での所定のイベント（事故等）発生があった場合に、記憶部３００に当該イベントを記憶し、中央指令装置からの要求に応じて、通信部５００を介して、中央指令装置にデータ送信する機能である。
【００７０】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００７１】
１  制御装置
２  電力機器
１００  入出力回路
１０１  検出回路
１０３  端子台
２００  制御部
３００  記憶部
４００  表示部
５００  通信部
６００  バス
【図１】
2017072387.tif 000003
【図２】
2017072387.tif 000004
【図３】
2017072387.tif 000005
【図４】
2017072387.tif 000006
【図５】
2017072387.tif 000007